(57)【要約】【課題】放射部が放射する光を放射部の長手方向において均一にする。【解決手段】ミラー装置１０では、一対のＬＥＤ３８が発光した光をライトガイド３２が長手方向に沿って案内してライトガイド３２が長手方向に沿って発光する。さらに、ライトガイド３２が発光した光が透明レンズ２４を透過して、ミラーバイザ１４の貫通孔２０が光を放射する。このため、貫通孔２０が放射する光を貫通孔２０の長手方向において均一にできると共に、ライトガイド３２と貫通孔２０との間に空気が介在することを抑制できて貫通孔２０が放射する光にムラが生じることを抑制できる。【選択図】図１
2008094130.tif 000002
【特許請求の範囲】
【請求項１】
車両のミラーの外周外側に配置されて内側に前記ミラーが収容され、前記ミラーの外周に沿って放射部が設けられた外周部と、
前記外周部の内部に前記ミラーの外周に沿って設けられた発光部材と、
前記発光部材に接続され、発光した光を前記発光部材が長手方向に沿って案内して前記発光部材が長手方向に沿って発光可能にされた発光源と、
前記発光部材の前記放射部側を被覆し、前記発光部材が発光した光を透過することで前記放射部が光を放射可能にされた透過部材と、
を備えたミラー装置。
【請求項２】
前記外周部の車両内側部分の内部に前記発光源を設けた、ことを特徴とする請求項１記載のミラー装置。
【発明の詳細な説明】
【技術分野】
【０００１】
本発明は、車両のミラーが収容された収容部を発光させるミラー装置に関する。
【背景技術】
【０００２】
ミラー装置としては、ミラーの外周外側に配置されたハウジングの車両後側端の光放射端から光を放射可能にされたものがある（例えば、特許文献１参照）。
【０００３】
このミラー装置では、ハウジングの光放射端から放射される光を発光するＬＥＤランプが、ハウジングの車両前側端部に配置されており、ＬＥＤランプが発光した光が、ハウジング内を伝播して、ハウジングの光放射端から放射される。
【０００４】
しかしながら、このミラー装置では、ＬＥＤランプが発光した光が伝播する方向が、ハウジングの光放射端の長手方向に沿っていないため、光放射端から放射される光が、光放射端の長手方向において、均一にならない可能性がある。
【特許文献１】特開２００５−１１２３１６公報
【発明の開示】
【発明が解決しようとする課題】
【０００５】
本発明は、上記事実を考慮し、放射部が放射する光を放射部の長手方向において均一にできるミラー装置を得ることが目的である。
【課題を解決するための手段】
【０００６】
請求項１に記載のミラー装置は、車両のミラーの外周外側に配置されて内側に前記ミラーが収容され、前記ミラーの外周に沿って放射部が設けられた外周部と、前記外周部の内部に前記ミラーの外周に沿って設けられた発光部材と、前記発光部材に接続され、発光した光を前記発光部材が長手方向に沿って案内して前記発光部材が長手方向に沿って発光可能にされた発光源と、前記発光部材の前記放射部側を被覆し、前記発光部材が発光した光を透過することで前記放射部が光を放射可能にされた透過部材と、を備えている。
【０００７】
請求項２に記載のミラー装置は、請求項１に記載のミラー装置において、前記外周部の車両内側部分の内部に前記発光源を設けた、ことを特徴としている。
【発明の効果】
【０００８】
請求項１に記載のミラー装置では、外周部がミラーの外周外側に配置されて、外周部の内側にミラーが収容されており、外周部には、ミラーの外周に沿って放射部が設けられている。外周部の内部には、発光部材がミラーの外周に沿って設けられており、発光部材に接続された発光源が発光した光を、発光部材が長手方向に沿って案内して、発光部材が長手方向に沿って発光可能にされている。さらに、発光部材の放射部側を透過部材が被覆しており、発光部材が発光した光を透過部材が透過することで、放射部が光を放射可能にされている。このため、ミラーの外周外側をミラーの外周に沿って発光させることができる。
【０００９】
ここで、上述の如く、発光源が発光した光を発光部材が長手方向に沿って案内して、発光部材が長手方向に沿って発光可能にされている。このため、放射部が放射する光を放射部の長手方向において均一にすることができる。
【００１０】
さらに、上述の如く、発光部材が発光した光を透過部材が透過することで、放射部が光を放射可能にされている。このため、発光部材と放射部との間に空気が介在することを抑制でき、放射部が放射する光にムラが生じることを抑制できる。
【００１１】
請求項２に記載のミラー装置では、外周部の車両内側部分の内部に発光源が設けられている。このため、一般にデッドスペース（従来使用されてない空間）である外周部の車両内側部分の内部を使用して、発光源を配置することができる。
【発明を実施するための最良の形態】
【００１２】
図１には、本発明の実施の形態に係るミラー装置１０（アウタミラー装置）の主要部が車両左斜め後方から見た斜視図にて示されており、図２には、ミラー装置１０が車両左斜め後方から見た斜視図にて示されている。なお、図面では、車両前方を矢印ＦＲで示し、車幅方向外方（車両右方）を矢印ＯＵＴで示し、上方を矢印ＵＰで示す。
【００１３】
本実施の形態に係るミラー装置１０は、支持部材としてのミラーステー１２を備えており、ミラーステー１２が車両のドア（図示省略）に支持されることで、ミラー装置１０がドアに取り付けられている。
【００１４】
ミラーステー１２には、収容部材としてのミラーバイザ１４の車幅方向内側端部が支持されており、ミラーバイザ１４には、被覆部としての車両前側のバイザカバー１６と、外周部（エッジ部）としての車両後側のバイザリム１８と、が設けられている。
【００１５】
バイザカバー１６は、略直方体形容器状にされて、車両後側面が車両後側へ開放されている。一方、バイザリム１８は、略矩形枠状にされると共に、断面略Ｊ字状にされており、バイザリム１８には、外周側の外周壁１８Ａと、内周側の内周壁１８Ｂと、車両後側の後端壁１８Ｃと、が設けられている。バイザカバー１６の車両後側端とバイザリム１８の外周壁１８Ａの車両前側端とは嵌合かつ結合されており、これにより、バイザリム１８とバイザカバー１６とが組み合わされて、ミラーバイザ１４が構成されている。また、バイザリム１８の後端壁１８Ｃには、上側部分、下側部分及び車幅方向外側部分における車幅方向外側かつ上側の角部と車幅方向外側かつ下側の角部とを除く部分において、放射部としての長尺矩形状の貫通孔２０が貫通形成されている。
【００１６】
バイザリム１８の内側には、車両後方視認用の矩形状のミラー２２が設置（収容）されており、ミラー２２の外周外側の全体に、バイザリム１８が配置されている。
【００１７】
バイザリム１８内には、透過部材としての透明樹脂製で略Ｕ字形棒状の透明レンズ２４が収容されており、透明レンズ２４は、バイザリム１８の上側部分、下側部分及び車幅方向外側部分に連続して配置されている。透明レンズ２４は、断面略矩形状にされており、透明レンズ２４がバイザリム１８内に嵌合されることで、バイザリム１８の形状（外形）が固定されている。
【００１８】
図５（Ａ）に詳細に示す如く、透明レンズ２４の上側部分、下側部分及び車幅方向外側部分における車幅方向外側かつ上側の角部と車幅方向外側かつ下側の角部とを除く部分には、車両後側面において、長尺直方体状の突出部２６が一体に形成されており、突出部２６は、バイザリム１８の貫通孔２０に嵌合（挿入）されている。
【００１９】
透明レンズ２４には、断面半楕円状の挿入孔２８が形成されており、挿入孔２８は、透明レンズ２４を長手方向に沿って貫通されると共に、透明レンズ２４から車両前側へ開放されている。
【００２０】
図４及び図５（Ｂ）に詳細に示す如く、透明レンズ２４の車幅方向外側かつ上側の角部と車幅方向外側かつ下側の角部とには、それぞれ一対の係止部３０が一体に形成されており、一対の係止部３０は、それぞれ略台形柱状にされると共に、挿入孔２８の開放部（車両前側端）において互いに対向されて挿入孔２８の開放部の幅を狭くしている。
【００２１】
透明レンズ２４の挿入孔２８には、図３に詳細に示す断面円形棒状のライトガイド３２が、各対の係止部３０を挿入孔２８の幅方向外側へ一時的に弾性変形させつつ、挿入（圧入嵌合）されており、ライトガイド３２は、各対の係止部３０によって車両前側への移動が制限されて、挿入孔２８からの離脱が制限されている。これにより、ライトガイド３２の車両後側が透明レンズ２４に被覆されると共に、ライトガイド３２の周面の車両後側半分とバイザリム１８との間（挿入孔２８を含む）に透明レンズ２４が充填されている。
【００２２】
ライトガイド３２には、案内部としての透明樹脂製で断面円形棒状の案内棒３４が設けられており、案内棒３４は、可撓性を有している。案内棒３４の長手方向全体の全周は、発光部としてのフッ素系樹脂製の発光材３６によって被膜（コーティング）されている。
【００２３】
ライトガイド３２の両端には、発光源としてのＬＥＤ３８（図１参照）が接続されており、一対のＬＥＤ３８は、バイザリム１８の車幅方向内側部分の内部に固定されている。一対のＬＥＤ３８は、制御手段としてのＥＣＵ４０に接続されており、ＥＣＵ４０の制御によって、一対のＬＥＤ３８が発光されることで、一対のＬＥＤ３８が発光した光をライトガイド３２が案内棒３４において長手方向に沿って案内して、ライトガイド３２が発光材３６において長手方向に沿って発光する。これにより、ライトガイド３２の発光材３６が発光した光が透明レンズ２４を透過することで、バイザリム１８の貫通孔２０が光を放射（発光）可能にされている。
【００２４】
ＥＣＵ４０は、任意の時に任意の状態で、一対のＬＥＤ３８が発光可能にされている。例えば、車両（自車）の後続車、隣接者、歩行者等のあらゆる対象物に当該車両の行動を知らしめて注意を喚起する際（例えば従来死角であった車両の右斜め後方及び左斜め後方の外部に対する当該車両の方向指示が必要な際）に、ＥＣＵ４０が、一対のＬＥＤ３８を発光させて、バイザリム１８の貫通孔２０から光を放射する。さらに、例えば、車両が操作された際（所謂アンサバック機能）、車両のドアロックがリモコン操作によって（キーを使用しないで）解除された際（所謂ウエルカム機能）、又は、車両の所有者以外の人物が車両に接近した際（所謂威嚇機能）等に、ＥＣＵ４０が、一対のＬＥＤ３８を発光させて、バイザリム１８の貫通孔２０から光を放射する。このため、車両の走行中及び停車中における安全が図られている。
【００２５】
次に、本実施の形態の作用を説明する。
【００２６】
以上の構成のミラー装置１０では、ＥＣＵ４０の制御によって、一対のＬＥＤ３８が発光されることで、一対のＬＥＤ３８が発光した光をライトガイド３２が案内棒３４において長手方向に沿って案内して、ライトガイド３２が発光材３６において長手方向に沿って発光する。これにより、ライトガイド３２の発光材３６が発光した光が透明レンズ２４を透過することで、バイザリム１８の貫通孔２０が光を放射する。このため、ミラー２２の外周外側をミラー２２の外周に沿って発光させることができる。
【００２７】
ここで、上述の如く、一対のＬＥＤ３８が発光した光をライトガイド３２が案内棒３４において長手方向に沿って案内して、ライトガイド３２が発光材３６において長手方向に沿って発光する。このため、バイザリム１８の貫通孔２０が放射する光を貫通孔２０の長手方向において均一にすることができる。
【００２８】
さらに、上述の如く、ライトガイド３２の発光材３６が発光した光が透明レンズ２４を透過することで、バイザリム１８の貫通孔２０が光を放射する。このため、ライトガイド３２と貫通孔２０との間に空気が介在することを抑制でき、貫通孔２０が放射する光にムラが生じることを抑制できる。さらに、ライトガイド３２とバイザリム１８との間（挿入孔２８を含む）に異物が侵入することを抑制できる。
【００２９】
しかも、バイザリム１８の車両内側部分の内部に、一対のＬＥＤ３８が設けられている。このため、一般にデッドスペース（従来使用されてない空間）であるバイザリム１８の車両内側部分の内部を使用して、一対のＬＥＤ３８を配置することができる。これにより、従来のミラーバイザ１４（バイザリム１８）の意匠（外形）のままで、ミラーバイザ１４（バイザリム１８）に本発明を適用することができる。
【００３０】
なお、本実施の形態では、ライトガイド３２の両端にＬＥＤ３８を接続した構成としたが、ライトガイド３２の一端のみにＬＥＤ３８を接続した構成としてもよい。
【００３１】
さらに、本実施の形態では、本発明を車両のドアに取り付けられるミラー装置１０（ドアミラー装置）に適用した構成としたが、本発明を車両の他のミラー装置（例えばフェンダミラー装置）に適用した構成としてもよい。
【図面の簡単な説明】
【００３２】
【図１】本発明の実施の形態に係るミラー装置の主要部を示す車両左斜め後方から見た斜視図である。
【図２】本発明の実施の形態に係るミラー装置を示す車両左斜め後方から見た斜視図である。
【図３】本発明の実施の形態に係るミラー装置におけるライトガイド及びＬＥＤを示す車両左斜め後方から見た斜視図である。
【図４】本発明の実施の形態に係るミラー装置における透明レンズ及びライトガイドを示す車両前方から見た裏面図である。
【図５】（Ａ）及び（Ｂ）は、本発明の実施の形態に係るミラー装置における透明レンズ及びライトガイドを示す断面図であり、（Ａ）は、図４のＡ−Ａ線断面図であり、（Ｂ）は、図４のＢ−Ｂ線断面図である。
【符号の説明】
【００３３】
１０    ミラー装置
１８    バイザリム（外周部）
２０    貫通孔（放射部）
２２    ミラー
２４    透明レンズ（透過部材）
３２    ライトガイド（発光部材）
３８    ＬＥＤ（発光源）
【図１】
2008094130.tif 000003
【図２】
2008094130.tif 000004
【図３】
2008094130.tif 000005
【図４】
2008094130.tif 000006
【図５】
2008094130.tif 000007